【手続補正書】
【提出日】平成15年11月7日(2003.11.7)
【手続補正１】
【補正対象書類名】明細書
【補正対象項目名】全文
【補正方法】変更
【補正の内容】
【発明の名称】手摺付作業台
【特許請求の範囲】
【請求項１】上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の上部に、一対の梯子枠のそれぞれの外方に向けて略水平方向に突出する平面コ字形の手摺枠を折り畳み自在に取り付けたことを特徴とする手摺付作業台。
【請求項２】上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の上部に平面コ字形の手摺枠を折り畳み自在に取り付け、かつ、支柱脚は上部主脚と下部主脚に分割し、上部主脚の下端と下部主脚の上端とを連結金具で回動自在に連結し、下部主脚を上部主脚に対して上方に回動自在に組み合わせたことを特徴とする手摺付作業台。
【請求項３】手摺枠は、手摺支柱の途中に基端が上下に回動自在に軸着するステイと、該ステイの先端に回動自在に組み合わさりコ字形の開口端部が手摺支柱の上端に着脱自在に係止する手摺枠本体とで構成した請求項１記載の手摺付作業台。
【請求項４】手摺枠は、ステイが下方に回動して手摺枠本体が下方に垂下した収納状態では、踏板ユニットの構成部材である踏板が手摺枠本体の内側に位置するように配置した請求項１または請求項２に記載の手摺付作業台。
【請求項５】踏板には、手摺枠の内側で渡板が着脱自在に連結される請求項１から請求項３のいずれかに記載の手摺付作業台。
【請求項６】上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の途中に基端が上下に回動自在に軸着するステイと、該ステイの先端に回動自在に組み合わさりコ字形の開口端部が手摺支柱の上端に着脱自在に係止する手摺枠本体とで構成した手摺枠を、梯子枠の外方に向けて略水平方向に突出するように手摺支柱の上部に折り畳み自在に取り付けたことを特徴とする手摺付作業台。
【発明の詳細な説明】
【０００１】
【発明の属する技術分野】
本発明は、建築工事現場、建築物の天井や壁面などの内外装作業、電気配線作業などの高所作業に使用する手摺付作業台に関するものである。
【０００２】
【従来の技術】
作業台として脚立は、従来、周知のように例えば複数の踏桟を適宜間隔で取り付けた梯子状の一対の脚部の上端を回動自在に軸着し、軸着部である最上段の部分に踏板を設け、軸着部を回動することで一対の脚部を開閉すると同時に踏板を折り畳みまたは開いて使用し、または不使用時に収納するようにしたものである。
【０００３】
ところで、踏板は前記のように三角形の２辺に位置する梯子状の脚部の頂点に位置する梯子の最上段に設けられるものであるため、人が立てるだけの狭い面積しか確保できない。さらに、踏板に立った状態では、手摺り等の手掛かりとなるものがないため、不安定な状態で作業することになり、踏板から転落するなどの危険発生のおそれもあり、安全面で問題があった。
【０００４】
そこで、例えば図18に示すように出願人は、特願２０００−３８９７３４として、転落防止手段を設けた脚立５を先に提案した。これは、上部に手摺支柱４を延設した一対の支柱脚１間に複数の踏桟２を適宜間隔で取り付けて梯子枠３を形成し、該梯子枠３の一対を対向させ上端を相互に回動自在に軸着し、支柱脚１の上部位置で梯子枠３間に踏板ユニット６を折り畳み自在に架け渡し、転落防止手段として、手摺支柱４の上部に、梯子枠３の外方に向けて略水平方向に突出する手摺枠21、22を取り付けたものである。
【０００５】
一方の手摺枠21は他方の手摺枠22よりも突出長を長く形成し、平面コ字形に突出するものであり、開口部側の両端を一方の手摺支柱４の内側に回動自在に軸着するものであり、他方の短尺な手摺枠22は、長尺な手摺枠21の端部が内側に取り付けられている手摺支柱４の外側に端部を取り付ける。この短尺な手摺枠22は突出長が短いから、長尺な手摺枠21のように回動自在に取り付ける必要は必ずしもない。
【０００６】
一方、脚立５はこれを単独で使用するだけでなく、図18に示すように複数（図示の例では２個）の脚立５を間隔をおいて並べて設置し、脚立５間に渡板７を架け渡して高所作業台として使用することもある。かかる場合に、脚立５から渡板７への移動が手摺枠21、22によって妨げられないように、手摺枠21、22の構造として、両手摺枠21、22ともに突出端に位置する桟を隣接の桟に対して係脱自在に組み合わせ、脚立５の踏板ユニット６から渡板７へ移動する際には、突出端に位置する桟を外している。
【０００７】
【発明が解決しようとする課題】
このように脚立５の踏板ユニット６の側と渡板７との間を往来して移動する際には、手摺枠21の突出端に位置する横桟を外す必要があるが、この横桟の外し作業は、建築工事現場、建築物の天井や壁面などの内外装作業、電気配線作業などの高所作業の作業中に行われるものであり、資材などの運搬途中や、工具を持ちながらのものとなって、作業に支障を来すおそれがあるだけでなく、バランスを失うことも考えられ、安全面で十分なものとはいえなかった。
【０００８】
また、手摺枠21、22は、一方が長尺で他方が短尺であるため、作業現場での脚立５の設置方向が規制され、使い勝手のよくないものになっている。
【０００９】
本発明の目的は前記従来例の不都合を解消し、作業台としての脚立に転落防止手段としての手摺枠を設けた場合に、作業現場での手摺付作業台の設置方向が規制されることなく使い勝手がよく、また、複数の手摺付作業台間に渡板を架け渡して使用する場合にも、手摺付作業台と渡板間との往来の際に手摺枠が邪魔になることがなく、作業に支障をきたすおそれのない手摺付作業台を提供することにある。
【００１０】
【課題を解決するための手段】
本発明は前記目的を達成するため、第１に、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の上部に、一対の梯子枠のそれぞれの外方に向けて略水平方向に突出する平面コ字形の手摺枠を折り畳み自在に取り付けたことを要旨とするものである。
【００１１】
第２に、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の上部に平面コ字形の手摺枠を折り畳み自在に取り付け、かつ、支柱脚は上部主脚と下部主脚に分割し、上部主脚の下端と下部主脚の上端とを連結金具で回動自在に連結し、下部主脚を上部主脚に対して上方に回動自在に組み合わせたことを要旨とするものである。
【００１２】
第３に、手摺枠は、手摺支柱の途中に基端が上下に回動自在に軸着するステイと、該ステイの先端に回動自在に組み合わさりコ字形の開口端部が手摺支柱の上端に着脱自在に係止する手摺枠本体とで構成したことを要旨とするものである。
【００１３】
第４に、手摺枠は、ステイが下方に回動して手摺枠本体が下方に垂下した収納状態では、踏板ユニットの構成部材である踏板が手摺枠本体の内側に位置するように配置したことを要旨とするものである。
【００１４】
第５に、踏板には、手摺枠の内側で渡板が着脱自在に連結されることを要旨とするものである。
【００１５】
第６に、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡した作業台において、手摺支柱の途中に基端が上下に回動自在に軸着するステイと、該ステイの先端に回動自在に組み合わさりコ字形の開口端部が手摺支柱の上端に着脱自在に係止する手摺枠本体とで構成した手摺枠を、梯子枠の外方に向けて略水平方向に突出するように手摺支柱の上部に折り畳み自在に取り付けたことを要旨とするものである。
【００１６】
請求項１および請求項６記載の本発明によれば、手摺支柱の上部に折り畳み自在に設ける手摺枠は、一対の梯子枠のそれぞれの外方に向けて同じ形状の平面コ字形のものが略水平方向に突出するから、使用に際して手摺付作業台の設置方向が規制されることがなくなり、使い勝手がよくなる。
【００１７】
請求項２記載の本発明によれば、脚立を折り畳んだ状態では、下部主脚が連結金具を介して上方に折り畳まれて上部主脚および手摺支柱と重合している。
【００１８】
このように偏平かつ短尺に折り畳まれた状態で、脚立を使用現場に搬入して使用するには、下部主脚を連結金具を介して下方に回動し、上部主脚と１本になる状態として、一対の梯子枠を上部の回転金具の部分を軸としてハの字形に開く。
【００１９】
請求項３記載の本発明によれば、前記作用に加えて、手摺枠は、ステイが手摺支柱の途中に基端が上下に回動自在に軸着するから、ステイの基端を中心軸にして下方に回動すれば、該ステイの先端に回動自在に組み合わさる手摺枠本体は、手摺支柱の下方部分に位置するように回動する。よって、この位置では手摺枠の全体が手摺支柱の下方部分に位置し、手摺支柱間の開口から除かれる。これにより、複数の手摺付作業台間に渡板を結合した場合に、手摺付作業台と渡板との往来の際に手摺枠が邪魔になることがない。
【００２０】
請求項４記載の本発明によれば、前記作用に加えて、踏板が手摺枠本体の内側に位置するように配置したから、ステイが下方に回動して手摺枠本体が下方に垂下する収納状態とするときに、踏板が手摺枠の収納位置への回動を妨げることがない。
【００２１】
請求項５記載の本発明によれば、前記作用に加えて、踏板には、手摺枠の内側で渡板が着脱自在に連結されるから、手摺枠が下方に回動した収納位置で踏板に渡板を連結でき、手摺枠が渡板の連結の支障となることがない。
【００２２】
【発明の実施の形態】
以下、図面について本発明の実施の形態を詳細に説明する。図１は、本発明のの手摺付作業台の実施の形態を示す全体斜視図、図２は同上側面図、図３は同上正面図、図４は同上平面図で、手摺付作業台の基本構造は図18に示した従来例と基本的には同様であり、図18の従来例と同一の構成要素には同一の参照符号を付してある。
【００２３】
本発明の作業台としての脚立５も、一対の梯子枠３と、該梯子枠３間に折り畳み自在に架け渡した踏板ユニット６と、一対の梯子枠３の上部に折り畳み自在にそれぞれ取り付けた手摺枠８、９とで構成する。
【００２４】
梯子枠３は、一対の支柱脚１、１の間に適宜間隔（図示の例では高さ方向に約300 ｍｍ間隔）で複数本（図示の例では７本）の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【００２５】
支柱脚１は本実施形態では上部主脚１ａと下部主脚１ｂに分割し、上部主脚１ａの下端と下部主脚１ｂの上端とを連結金具10で回動自在に連結し、下部主脚１ｂを上部主脚１ａに対して上方に回動自在に組み合わせた。
【００２６】
そして、踏桟２の長さは、下部主脚１ｂでは上段のものになるにしたがい短いものとして、支柱脚１、１の間隔が上方にいくにしたがい狭くなるように形成する。
【００２７】
支柱脚１の上端部に位置させて、対向する支柱脚１、１の間に踏板ユニット６を回動自在に取り付ける。該踏板ユニット６は、踏板６ａと、該踏板６ａを下方から支承するステイ６ｂとで構成し、ステイ６ｂは一端を踏板６ａの下部のほぼ中央位置に回動自在に軸着し、他端を支柱脚１の上端部または手摺支柱４の下端部、または支柱脚１と手摺支柱４との境界部に取付金具で回動自在に軸着する。
【００２８】
踏板６ａは、ステイ６ｂが重合されない側の端部を、取付金具で支柱脚１の上端部または手摺支柱４の下端部、または支柱脚１と手摺支柱４との境界部に回動自在に軸着する。
【００２９】
手摺支柱４、４の上端部は突き合わせて、矩形状の回転金具11で回動自在に結合する。図中14は支柱脚１の下部に伸長自在に取り付けた延長脚を示す。
【００３０】
梯子枠３の上部の手摺支柱４に取り付ける手摺枠８、９は、図７〜図10に示すように手摺支柱４の途中に基端が上下に回動自在に軸着するステイ13と、該ステイ13の先端に回動自在に組み合わさり開口端部が手摺支柱４の上端に着脱自在に係止する手摺枠本体12とで構成し、アルミニウム合金などを用い、手摺枠本体12は円筒の中空に形成した型材を平面コ字形に形成した。
【００３１】
手摺枠本体12は、図11、図12に示すようにコ字形の開口端部の先端に手摺支柱４への着脱部となる下向きの切欠き12ａをＵ字形に形成し、コ字形の対向アームの途中、ほぼ中心にステイ13との回動軸着部12ｂを設けた。この場合、手摺枠本体12の開口側の幅の外法は図８に示すように手摺支柱４、４間の内法の幅にほぼ等しく形成し、また、踏板６ａの外法の幅は手摺枠本体12の開口の内法の幅にほぼ等しく形成する。
【００３２】
ステイ13は、図13、図14に示すようにアーム状部材の両端に手摺枠本体12との回動軸着部13ａと、手摺支柱４への回動軸着部13ｂを設け、手摺支柱４のほぼ中央の高さ位置に回動軸着部13ｂが軸着される。
【００３３】
手摺支柱４の上端の内側に、前記手摺枠本体12の切欠き12ａが着脱自在に上方から係止する係止部として、例えば図９、図10に示すように係止ピン15を突設する。
【００３４】
図15、図16は切欠き12ａの係止ピン15への係止の解除を阻止するプレート状のストッパーで、手摺枠本体12の先端に形成した切欠き12ａの上方位置で、該手摺枠本体12の先端部と重合させて下方に回動自在に軸着したもので、係止ピン15に側方から係合するＵ字形の係止凹部16ａを横向きに形成した。
【００３５】
次に使用法について説明する。図５、図６は脚立５を折り畳んだ収納状態であり、この状態では、下部主脚１ｂが連結金具10を介して上方に折り畳まれて上部主脚１ａおよび手摺支柱４と重合している。また、踏板ユニット６は、ステイ６ｂと踏板６ａとが、その軸着による連結部か上方に移動することでステイ６ｂと踏板６ａとがそれぞれ梯子枠３との軸着部を中心にして上方に回動し、対向する梯子枠３の間にこれと平行に折り畳まれる。
【００３６】
手摺枠８、９についても、手摺枠本体12の先端に形成した切欠き12ａを手摺支柱４の上端の内側に突設した係止ピン15から外した状態にして、ステイ13を手摺支柱４との回動軸着部13ｂを中心にして下方に回動することで、ステイ13に回動自在に連結した手摺枠本体12を下方に回動する。これにより、図７にも示すようにステイ13と手摺枠本体12は平行に折り畳まれた状態で手摺支柱４の内側に納まる。この状態で踏板６ａは手摺枠８、９の内側に納まる。
【００３７】
このように偏平かつ短尺に折り畳まれた状態で、脚立５を使用現場に搬入して使用するには、下部主脚１ｂを連結金具10を介して下方に回動し、上部主脚１ａと１本になる状態として、一対の梯子枠３、３を上部の回転金具11の部分を軸としてハの字形に開く。この状態で踏板ユニット６は脚立５の開脚に連動して踏板６ａとステイ６ｂとが水平状態となる。
【００３８】
この状態では手摺枠８、９は未だ手摺支柱４の内側にこれと平行に折り畳まれている。手摺枠８、９を水平にセットするには、踏桟２を上り、踏板６ａの上に立って、下方に垂下している手摺枠本体12を引き上げる。これにより、ステイ13が手摺支柱４との回動軸着部13ｂを中心にして回動し、ステイ13が上方に回動しながら引き上げられるから、ステイ13と手摺枠本体12との回動軸着部12ｂ、13ａが手摺支柱４の上端とほぼ水平に位置まで引き上げられたならば、手摺支柱４の上端に突設としてある係止ピン15を、手摺枠本体12の先端に形成してある切欠き12ａ内に下方から挿入して手摺枠本体12を手摺支柱４に係止する。
【００３９】
この状態ではストッパー16は図16において鎖線で示す位置にあるが、ここからさらに、ストッパー16を下方に回動して（実線位置）係止凹部16ａ内に係止ピン15を挿入する。よって、係止ピン15に対して切欠き12ａが上方から係止し、係止凹部16ａが前記切欠き12ａと直交する側方から係止し、手摺枠本体12はストッパー16により上方への回動が阻止され、手摺支柱４に固定される。
【００４０】
両方の手摺枠８、９ともに同じ操作で手摺支柱４の両側に開くから、この状態で踏板６ａ上で作業する。
【００４１】
図17に示すように複数、少なくとも一対の脚立５間に渡板７を架け渡して使用することも可能であり、この場合は、手摺枠８、９のいずれか一方のみ、例えば手摺枠９を開き、他方の手摺枠８は収納状態としておき、この収納状態の手摺枠８の側で踏板６ａに渡板７を連結すればよい。
【００４２】
この場合、踏板６ａは収納状態の手摺枠８の手摺枠本体12の幅の内側に納まる幅に形成してあるから、手摺枠８を下方に回動してもこれが踏板６ａとぶつかって梯子枠３から外方に突出することはない。また、手摺枠８は踏板６ａの外側に位置するから、踏板６ａに渡板７を連結する際に手摺枠８が邪魔になることもない。
【００４３】
踏板６ａへの渡板７の連結は、脚立５の両側に手摺枠８、９を開いた後でも簡単に行うことができ、この場合は、踏板６ａの上から一方の手摺枠、例えば手摺枠８を下方に回動して収納状態に位置させればよい。
【００４４】
このようにして踏板６ａに渡板７を連結した状態で、連結箇所には手摺枠８、９が存在しないから、手摺枠８、９が踏板６ａと渡板７間との往来の妨げにならない。
【００４５】
なお、本発明は梯子枠３を２つ組合わせて作業台としての脚立５としたが、任意数を任意の形状に組合わせることで作業床を有する手摺り付きの作業台として他の例にも応用できる。
【００４６】
【発明の効果】
以上述べたように本発明の手摺付作業台は、転落防止手段としての手摺枠を設けた場合に、作業現場での手摺付作業台の設置方向が規制されることなく使い勝手がよく、また、複数の手摺付作業台間に渡板を架け渡して使用する場合にも、手摺付作業台と渡板間との往来の際に手摺枠が邪魔になることがなく、作業に支障をきたすおそれのないものである。
【図面の簡単な説明】
【図１】本発明の手摺付作業台の実施形態を示す全体斜視図である。
【図２】本発明の手摺付作業台の実施形態を示す側面図である。
【図３】本発明の手摺付作業台の実施形態を示す正面図である。
【図４】本発明の手摺付作業台の実施形態を示す平面図である。
【図５】本発明の手摺付作業台の実施形態を示す折り畳んだ状態の側面図である。
【図６】本発明の手摺付作業台の実施形態を示す折り畳んだ状態の正面図である。
【図７】本発明の手摺付作業台の実施形態を示す要部である上部の手摺枠と踏板部分の側面図である。
【図８】本発明の手摺付作業台の実施形態を示す要部である上部の手摺枠と踏板部分の正面図である。
【図９】本発明の手摺付作業台の実施形態を示す要部である上部の手摺枠部分の平面図である。
【図１０】本発明の手摺付作業台の実施形態を示す要部である上部の手摺枠部分の側面図である。
【図１１】本発明の手摺付作業台の実施形態を示す要部である手摺枠本体の平面図である。
【図１２】本発明の手摺付作業台の実施形態を示す要部である手摺枠本体の側面図である。
【図１３】本発明の手摺付作業台の実施形態を示す要部である手摺枠のステイの平面図である。
【図１４】本発明の手摺付作業台の実施形態を示す要部である手摺枠のステイの側面図である。
【図１５】本発明の手摺付作業台の実施形態を示す要部である手摺枠のストッパーの正面図である。
【図１６】本発明の手摺付作業台の実施形態を示す要部である手摺枠のストッパーの取付状態の正面図である。
【図１７】本発明の手摺付作業台の実施形態を示す渡板を連結した状態の斜視図である。
【図１８】従来の作業台の斜視図である。
【符号の説明】
１…支柱脚                      １ａ…上部主脚
１ｂ…下部主脚                  ２…踏桟
３…梯子枠                      ４…手摺支柱
５…手摺付作業台
６…踏板ユニット
６ａ…踏板                      ６ｂ…ステイ
７……渡板                      ８…手摺枠
９…手摺枠                      10…連結金具
11…回転金具                    12…手摺枠本体
12ａ…切欠き                    12ｂ…回動軸着部
13…ステイ                      13ａ、13ｂ…回動軸着部
14…延長脚                      15…係止ピン
16…ストッパー                  16ａ…係止凹部
21…手摺枠                      22…手摺枠